(57)【要約】      （修正有）【課題】比較的簡単な構成および使用方法によって、点での刺激ではなく、分散した自然で柔らかな刺激を身体に与えて、健康回復、健康促進、体調改善等を実現可能なマッサージ具を提供する。【解決手段】使用者が手に把持して使用可能なマッサージ具１であって、複数の真珠１１と、複数の真珠１１を収納する第一収納体２０と、第一収納体２０を収納する第二収納体３０と、第二収納体３０の一部を締結する外側締結部４１とを備え、第二収容体３０の外側締結部４１による締結位置が、自在に調整可能であり、第二収容体３０が、外側締結部４１によって、第一収納体２０を収容した接触部３１と、第二収容体３０のみから成る把持部３２とに区別されることを特徴としている。【選択図】図１
0003188448.tif 000002
【実用新案登録請求の範囲】
【請求項１】
使用者が手に把持して使用可能なマッサージ具であって、
複数の粒状物と、前記複数の粒状物を収納する第一収納体と、前記第一収納体を収納する第二収納体とを備えた
ことを特徴とするマッサージ具。
【請求項２】
使用者が手に把持して使用可能なマッサージ具であって、
複数の粒状物と、前記複数の粒状物を収納する第一収納体と、前記第一収納体を収納する第二収納体とを備え、
前記第二収容体が、前記第一収納体を収容した接触部と、前記第二収容体のみから成る把持部とに区別される
ことを特徴とするマッサージ具。
【請求項３】
使用者が手に把持して使用可能なマッサージ具であって、
複数の粒状物と、前記複数の粒状物を収納する第一収納体と、前記第一収納体を収納する第二収納体と、前記第二収納体の一部を締結する締結部とを備え、
前記第二収容体の前記締結部による締結位置が、自在に調整可能であり、
前記第二収容体が、前記締結部によって、前記第一収納体を収容した接触部と、前記第二収容体のみから成る把持部とに区別される
ことを特徴とするマッサージ具。
【請求項４】
使用者が手に把持して使用可能なマッサージ具であって、
複数の真珠と、前記複数の真珠を収納する第一収納体と、前記第一収納体を収納する第二収納体と、前記第二収納体の一部を締結する締結部とを備え、
前記第二収容体の前記締結部による締結位置が、自在に調整可能であり、
前記第二収容体が、前記締結部によって、前記第一収納体を収容した接触部と、前記第二収容体のみから成る把持部とに区別される
ことを特徴とするマッサージ具。
【請求項５】
使用者が手に把持して使用可能なマッサージ具であって、
複数の粒状物と、前記複数の粒状物を収納する第一収納体と、前記第一収納体を収納する第二収納体とを備え、
前記第二収納体の外側に、ベルト部が設けられている
ことを特徴とするマッサージ具。
【請求項６】
使用者が手に把持して使用可能なマッサージ具であって、
複数の真珠と、前記複数の真珠を収納する第一収納体と、前記第一収納体を収納する第二収納体とを備え、
前記第二収納体の外側の対向する位置に、一対のベルト部が設けられており、
前記ベルト部が、それぞれ環状に形成されている
ことを特徴とするマッサージ具。
【考案の詳細な説明】
【技術分野】
【０００１】
本考案は、手に持って使用可能なマッサージ具に関するもので、より具体的には、比較的簡単な構成および使用方法によって、自然で柔らかな刺激を身体に与えて、健康回復、健康促進、体調改善等を実現可能な、マッサージ具に関するものである。
【背景技術】
【０００２】
運動不足、過剰運動、疲労、あるいは加齢等により、どのような環境・年齢の人であっても、腰痛、肩こり、あるいは筋肉痛等（以下、「体調不良等」ともいう。）の症状は、常日頃から起こり得るものである。
【０００３】
これらの体調不良等を解消するための従来技術にかかる方法としては、例えば、鍼、灸、整体、マッサージ、マッサージ具、あるいは外科治療等があげられる。
【０００４】
上述した体調不良等を解消するためのマッサージ具の一例としては、例えば、特許文献１に示したものがある。この従来技術にかかるマッサージ具は、棒状グリップ体の先端部一側面に押圧突起を有するものであり、この押圧突起を身体に押し当てることによって、マッサージ効果を得るべく構成されている。
【先行技術文献】
【特許文献】
【０００５】
【特許文献１】特開平９−３１３５６９号公報
【考案の概要】
【考案が解決しようとする課題】
【０００６】
従来技術にかかるマッサージ具は、上述したように、棒状グリップ体の先端部一側面に押圧突起を有し、この押圧突起を身体に押し当てることによって、マッサージ効果を得る構成である。
【０００７】
しかしながら、従来技術に示すような身体に接する箇所が一点に集中しているマッサージ具は、使い勝手が悪いという問題があった。具体的には、マッサージ具は、通常、マッサージを行う際の的確な箇所（ツボ等）を熟知していない者が使用するため、その使用方法によっては、適切なマッサージ効果が得られないという問題があった。また、仮に使用者が刺激を与えるべき箇所を知っていたとしても、身体との接点が一点に集中しているため、中々思い通りの箇所を刺激することはできないという問題があった。
【０００８】
そこで、本考案は、上記従来技術の問題を解決するためになされたものであり、比較的簡単な構成および使用方法によって、点での刺激ではなく、分散した自然で柔らかな刺激を身体に与えて、健康回復、健康促進、体調改善等を実現可能な、マッサージ具を提供することを課題とする。
【課題を解決するための手段】
【０００９】
本考案の第一態様は、上記課題を解決するためになされたものであり、使用者が手に把持して使用可能なマッサージ具であって、複数の粒状物と、前記複数の粒状物を収納する第一収納体と、前記第一収納体を収納する第二収納体とを備えたことを特徴としている。
【００１０】
このように構成されたマッサージ具によれば、使用者が、前記第二収納体を使用者自身の身体に接触させることによって（例えば、強弱をつけて接触させることによって）、点での刺激ではなく、分散した自然で柔らかな刺激を得ることが可能となり、健康回復、健康促進、体調改善等を図ることができる。
より具体的には、前記複数の粒状物を有する前記第二収納体が、使用者の身体に接することによって、前記複数の粒状物が身体の形状に沿って自然に分散する。このような自然な分散によって、本考案にかかるマッサージ具によれば、前記第二収納体をソフトに身体に打ち付けることができる。また、前記第二収納体による身体への刺激箇所が複数となるため、身体に存在するツボを的確に捉えることができる。
加えて、本考案にかかるマッサージ具は、前記複数の粒状物が収納された前記第一収納体が、さらに前記第二収納体に収容されて構成されている。つまり、前記複数の粒状物が、前記第一収容体と前記第二収容体とで、二重に覆われて構成されている。したがって、このような構成によれば、比較的簡単な構成にて、前記複数の粒状物を適切に保持しつつ、点での刺激ではなく、分散した自然で柔らかな刺激を身体に与えて、健康回復、健康促進、体調改善等を実現可能な、マッサージ具を得ることができる。
【００１１】
本考案の第二態様は、上記課題を解決するためになされたものであり、使用者が手に把持して使用可能なマッサージ具であって、複数の粒状物と、前記複数の粒状物を収納する第一収納体と、前記第一収納体を収納する第二収納体とを備え、前記第二収容体が、前記第一収納体を収容した接触部と、前記第二収容体のみから成る把持部とに区別されることを特徴としている。
【００１２】
このように構成されたマッサージ具によれば、前記把持部を使用者が把持した状態で前記接触部を振り子のように動かして身体に接触させたり（前記接触部で身体を叩いたり）、あるいは前記接触部を使用者が直接把持した状態で前記接触部を使用者の身体に接触させたりすることによって、点での刺激ではなく、分散した自然で柔らかな刺激を身体に与えて、健康回復、健康促進、体調改善等を図ることができる。
より具体的には、前記複数の粒状物を有する前記接触部が、使用者の身体に接することによって、前記複数の粒状物が身体の形状に沿って自然に分散する。このような自然な分散によって、本考案にかかるマッサージ具によれば、前記接触部をソフトに身体に打ち付けることができる。また、前記接触部による身体への刺激箇所が複数となるため、身体に存在するツボを的確に捉えることができる。
加えて、本考案にかかるマッサージ具は、前記複数の粒状物が収納された前記第一収納体が、さらに前記第二収納体に収容されて構成されている。つまり、前記複数の粒状物が、前記第一収容体と前記第二収容体とで、二重に覆われて構成されている。したがって、このような構成によれば、比較的簡単な構成にて、前記複数の粒状物を適切に保持しつつ、点での刺激ではなく、分散した自然で柔らかな刺激を身体に与えて、健康回復、健康促進、体調改善等を実現可能な、マッサージ具を得ることができる。
【００１３】
また、本考案の第三態様は、上記課題を解決するためになされたものであり、使用者が手に把持して使用可能なマッサージ具であって、複数の粒状物と、前記複数の粒状物を収納する第一収納体と、前記第一収納体を収納する第二収納体と、前記第二収納体の一部を締結する締結部とを備え、前記第二収容体の前記締結部による締結位置が、自在に調整可能であり、前記第二収容体が、前記締結部によって、前記第一収納体を収容した接触部と、前記第二収容体のみから成る把持部とに区別されることを特徴としている。
【００１４】
このような構成によれば、上記第二態様にかかるマッサージ具と同様の作用効果を得られると共に、次のような作用効果を得ることができる。
【００１５】
本考案にかかるマッサージ具は、前記締結部による前記第二収容体の締結位置を調整可能であるため、前記接触部の大きさを自在に調整することができる。したがって、本考案にかかるマッサージ具によれば、その使用者の体調等に応じて、前記接触部の大きさを調整することができる。つまり、本考案によれば、比較的簡単な構成に基づき、前記接触部の大きさを容易に調整でき、点での刺激ではなく、分散した自然で柔らかな刺激を身体に与えることができる、マッサージ具を得ることが可能となる。
【００１６】
さらに、本考案の第四態様は、上記課題を解決するためになされたものであり、使用者が手に把持して使用可能なマッサージ具であって、複数の真珠と、前記複数の真珠を収納する第一収納体と、前記第一収納体を収納する第二収納体と、前記第二収納体の一部を締結する締結部とを備え、前記第二収容体の前記締結部による締結位置が、自在に調整可能であり、前記第二収容体が、前記締結部によって、前記第一収納体を収容した接触部と、前記第二収容体のみから成る把持部とに区別されることを特徴としている。
【００１７】
このような構成によれば、上記第二態様および第三態様にかかるマッサージ具と同様の作用効果を得られると共に、次のような作用効果を得ることができる。
【００１８】
本考案にかかるマッサージ具は、前記接触部が前記複数の真珠を用いて構成されている。したがって、このような構成によれば、前記真珠を用いることによって、より柔らかな刺激を得ることができる。
【００１９】
また、本考案の第五態様は、上記課題を解決するためになされたものであり、使用者が手に把持して使用可能なマッサージ具であって、複数の粒状物と、前記複数の粒状物を収納する第一収納体と、前記第一収納体を収納する第二収納体とを備え、前記第二収納体の外側に、ベルト部が設けられていることを特徴としている。このベルト部は、使用者が把持しやすいものであれば、その形状は特に限定されず、前期第二収納体外部に設けられる本数についても、単数あるいは複数であってもよい。
【００２０】
このような構成によれば、上記第一態様にかかるマッサージ具と同様の作用効果を得られると共に、次のような作用効果を得ることができる。
【００２１】
本考案にかかるマッサージ具によれば、前記ベルト部を使用者が把持した状態で前記第二収納体を振り子のように動かして身体に接触させたり、あるいは前記第二収納体を使用者が直接把持した状態で使用者の身体に接触させたりすることによって、点での刺激ではなく、分散した自然で柔らかな刺激を身体に与えて、健康回復、健康促進、体調改善等を図ることができる。
【００２２】
さらに、本考案の第六態様は、上記課題を解決するためになされたものであり、使用者が手に把持して使用可能なマッサージ具であって、複数の真珠と、前記複数の真珠を収納する第一収納体と、前記第一収納体を収納する第二収納体とを備え、前記第二収納体の外側の対向する位置に、一対のベルト部が設けられており、前記ベルト部が、それぞれ環状に形成されていることを特徴としている。
【００２３】
このような構成によれば、上記第一態様および第五態様にかかるマッサージ具と同様の作用効果を得られると共に、次のような作用効果を得ることができる。
【００２４】
本考案にかかるマッサージ具によれば、それぞれ環状に形成された前記各ベルト部を左右の手で把持した状態で、使用者の身体のいたる所をマッサージ（あるいは洗浄）することができる。より具体的には、使用者の背中等の手の届きにくい部位であっても、これらの各ベルト部を把持することによって、使用者は簡単にマッサージ（あるいは洗浄）することができる。
【考案の効果】
【００２５】
本考案によれば、比較的簡単な構成および使用方法によって、点での刺激ではなく、分散した自然で柔らかな刺激を身体に与えて、健康回復、健康促進、体調改善等を実現可能な、マッサージ具を得ることができる。
【図面の簡単な説明】
【００２６】
【図１】本考案の第一実施形態にかかるマッサージ具の概略図を示したものである。
【図２】本考案の第一実施形態にかかるマッサージ具の分解構成図を示したものであって、図２（ａ）は本実施形態にかかるマッサージ具を成す内包部の分解構成図を示し、図２（ｂ）は内包部の概略図を示し、図２（ｃ）は内包部等から成るマッサージ具の分解構成図を示し、図２（ｄ）はマッサージ具の概略図を示している。
【図３】本考案の第一実施形態にかかるマッサージ具の使用方法（一例）の概略図を示したものであって、図３（ａ）は本実施形態にかかるマッサージ具の持ち方の一例の概略図を示し、図３（ｂ）は本実施形態にかかるマッサージ具の使用方法の一例の概略図を示し、図３（ｃ）は図３（ｂ）のようにマッサージ具を使用した場合のマッサージ具（接触部）の状態変化の概略図を示している。
【図４】本考案の第一実施形態にかかるマッサージ具を成す接触部（内包部）の調整状態の概略図を示したものであって、図４（ａ）は通常状態の接触部（内包部）の概略図を示し、図４（ｂ）は圧縮状態の接触部（内包部）の概略図を示し、図４（ｃ）は伸張状態の接触部（内包部）の概略図を示している。
【図５】本考案の第二実施形態にかかるマッサージ具の概略図を示したものである。
【図６】本考案の第二実施形態にかかるマッサージ具の使用方法（一例）の概略図を示したものであって、図６（ａ）は本実施形態にかかるマッサージ具を用いて使用者の背中をマッサージ（あるいは洗浄）している概略図を示し、図６（ｂ）は本実施形態にかかるマッサージ具を用いて使用者の太腿をマッサージ等している概略図を示している。
【考案を実施するための形態】
【００２７】
以下、図面に基づいて、本考案の実施形態を説明する。
【００２８】
＜第一実施形態＞
図１は、本考案の第一実施形態にかかるマッサージ具の概略図を示したものである。また、図２は、本考案の第一実施形態にかかるマッサージ具の分解構成図を示したものである。さらに、図３は、本考案の第一実施形態にかかるマッサージ具の使用方法の概略図を示したものである。また、図４は、本考案の第一実施形態にかかるマッサージ具を成す接触部の調整状態の概略図を示したものである。
【００２９】
図１および図２等に示すように、本実施形態にかかるマッサージ具１は、複数の真珠１１（本考案の「粒状物」「真珠」に相当）を纏めた内包部２１と、この内包部２１を包み込む第二収納体３０と、この第二収納体３０を所定箇所にて締結する外側締結部４１（本考案の「締結部」に相当）等とを用いて構成されている。
【００３０】
また、図１等に示すように、本実施形態にかかるマッサージ具１は、外側締結部４１にて、身体に接触させる接触部３１と、使用者が把持する把持部３２とに区別される。そして、このマッサージ具１は、例えば、使用者が、この把持部３２を把持し、接触部３１を振り子のように動かして身体の任意の箇所を叩くようにして使用される。
【００３１】
さらに、本実施形態にかかるマッサージ具１は、より具体的には、図２に示すように構成される。ここで、図２は、本考案の実施形態にかかるマッサージ具の分解構成図を示したものである。
【００３２】
図２（ａ）は、本実施形態にかかるマッサージ具１を成す内包部２１の分解構成図を示したものである。この図２（ａ）に示すように、内包部２１は、複数の真珠１１と、この複数の真珠１１を纏めて収納可能な第一収納体２０とを用いて構成されている。
内包部２１を成す第一収納体２０は、複数の真珠１１を収納可能な網状の袋体を用いて構成されている。この第一収納体２０は、内包した複数の真珠１１の感触を損なうことなく、また、複数の真珠１１の破損を防止すべく、比較的柔らかい袋体を用いて形成されている。第一収納体２０は、例えば、絹布、綿布、化学繊維等を用いて構成されている。
【００３３】
図２（ｂ）は、本実施形態にかかるマッサージ具１を成す内包部２１の概略図を示したものである。この図２（ｂ）に示すように、内包部２１は、袋体である第一収納体２０に複数の真珠１１を収納し、第一収納体２０の開口部を絞り、その絞った部分を内側締結部５１にて締結して構成されている。この内側締結部５１は、輪ゴム等のゴム部材や紐状部材等を用いて構成されている。この図２（ｂ）に示すように、第一収納体２０に収納された複数の真珠１１は、第一収納体２０の開口部を内側締結部５１にて締結されることによって、第一収納体２０内に適切に収納され、第一収納体２０の外部に漏れ出すことはない。本実施形態においては、第一収納体２０内に、約５ｍｍ〜約１５ｍｍ程度の真珠を約１００個〜約３００個程度、収納することが好ましい。また、内包部２１の形状（外形）は特に限定されないが、例えば、球体状（略球体状のものも含む）あるいは楕円体状（略楕円体状のものや略回転楕円体状も含む）となるべく構成されている。
【００３４】
図２（ｃ）は、内包部２１等から成るマッサージ具１の分解構成図を示したものである。この図２（ｃ）に示すように、マッサージ具１は、内包部２１と、この内包部２１を包み込む第二収納体３０と、外側締結部４１（本考案の「締結部」に相当）とを用いて構成されている。
マッサージ具１を成す第二収納体３０は、内包部２１を収納可能な袋体を用いて構成されている。また、この第二収納体３０は、収納した内包部２１中の複数の真珠１１からの刺激を身体に適切に伝えるべく、絹布等の柔らかい素材を用いて構成されている。この第二収納体３０の構成素材としては、他に例えば、綿布や化学繊維等が適用可能である。この第二収納体３０は、接触部３１と把持部３２とを構成するものであるため、肌触りがよく、持ちやすいものであることが好ましい。
さらに、本実施形態にかかる外側締結部４１は、輪ゴム等のゴム部材や紐状部材等を用いて構成されている。
【００３５】
図２（ｄ）は、マッサージ具１の概略図を示したものである。この図２（ｄ）に示すように、本実施形態にかかるマッサージ具１は、袋体である第二収納体３０に、複数の真珠１１を内包した内包部２１を収納し、第二収納体３０の所定箇所を外側締結部４１にて締結することによって構成されている。また、このマッサージ具１は、この外側締結部４１によって、内包部２１を内包した箇所である接触部３１と、実際のマッサージに使用する際に主に使用者が把持する部位である把持部３２とに、区分される。この際、後述するように、外側締結部４１の締結箇所は、使用者の好みに合わせて、その位置を適宜調整可能である。すなわち、使用者は、外側締結部４１の締結箇所を調整することによって、接触部３１の大きさ（広がり具合）や硬さ等を好みの状態に設定することができる。
【００３６】
本実施形態にかかるマッサージ具１の基本的な構成は、図１および図２にて説明したとおりである。そして、その構成に基づき、使用者がこのマッサージ具１を適切に使用することによって、点での刺激ではなく、分散した自然で柔らかな刺激を得ることが可能となり、健康回復、健康促進、体調改善等を実現することができる。
以下、図３を用いて、マッサージ具１の使用方法の一例を説明する。ここで、図３は、本考案の実施形態にかかるマッサージ具の使用方法（一例）の概略図を示したものである。
【００３７】
まず、図３（ａ）は、本実施形態にかかるマッサージ具１の持ち方の一例の概略図を示したものである。本実施形態にかかるマッサージ具１は、その使用者の好みによって、接触部３１そのものを把持した状態で使用することも可能であるが、ここでは、図３（ａ）に示すように、使用者が、マッサージ具１の把持部３２を右手で把持して使用する場合について説明する。
【００３８】
図３（ｂ）は、本実施形態にかかるマッサージ具１の使用方法の一例の概略図を示したものである。具体的には、使用者がその本人の左肩Ｓのマッサージに、マッサージ具１を使用する場合を示している。この図３（ｂ）に示すように、本実施形態にかかるマッサージ具１は、使用者が右手で把持部３２を把持し、その把持した部分を支点として、振り子のように振り出した接触部３１にて、使用者本人の左肩Ｓをマッサージすることができる。
【００３９】
図３（ｃ）は、図３（ｂ）のようにマッサージ具１を使用した場合のマッサージ具１（を成す接触部３１）の状態変化の概略図を示したものである。図３（ｃ）の左側の図は、使用者が接触部３１を左肩Ｓに接触させた瞬間の接触部３１の状態を示す概略図であり、図３（ｃ）の右側の図は、使用者が接触部３１を左肩Ｓに接触させた後の接触部３１の状態を示す概略図である。また、それぞれの図の下側には、左肩Ｓ周辺の拡大図を示している。
この図３（ｃ）に示すように、接触部３１は、使用者の左肩Ｓに接触した瞬間には、図１等に示した初期状態の形状（図３（ｃ）左側図参照）を保持しているが、使用者の左肩Ｓに接触した後には、接触した左肩Ｓの周辺形状に沿うように広がり、初期状態とは異なる形状（図３（ｃ）右側図参照）となる。つまり、マッサージ具１を成す接触部３１は、その使用状態に応じて（すなわち、身体への接触前後において）、形状が変化し、その形状変化に起因して、使用者は、点での刺激ではなく、分散した自然で柔らかな刺激を得ることができる。
【００４０】
図４は、本考案の実施形態にかかるマッサージ具１を成す接触部３１の調整状態の概略図を示したものである。
本実施形態にかかるマッサージ具１は、上述したように、外側締結部４１（締結部）によって、接触部３１と把持部３２とが区別されており、この外側締結部４１による締結箇所は、適宜調整可能に構成されている。したがって、本実施形態によれば、使用者は、この外側締結部４１の位置を調整し、接触部３１の長さ（接触部長さＬ）を調整することによって、接触部３１の広がり具合や硬さを好みの状態とすることができる。
【００４１】
図４（ａ）は、これまで図１等にて説明した状態（本実施形態においては「通常状態」という。）の接触部３１の概略図を示したものである。この図４（ａ）に示した通常状態の接触部３１の長さ（以下「標準長さＬ１」という。）は、接触部３１が、使用者が好む平均的な広がりや硬さとなるべく設定されている。
【００４２】
図４（ｂ）は、圧縮状態の接触部３１の概略図を示したものである。本実施形態にかかるマッサージ具１は、この図４（ｂ）に示すように、外側締結部４１の位置を調整して、接触部３１を圧縮させるように、その長さを標準長さＬ１よりも小さな長さ（以下「圧縮長さＬ２」という。）とすることができる。このように、圧縮長さＬ２に調整された接触部３１は、標準長さＬ１の接触部３１（図４（ａ）参照）よりも、複数の真珠１１の凝集状態が高まり、その外形が小さくなると共に、相対的に身体へ接触したときの感覚が硬く感じられる。
【００４３】
図４（ｃ）は、伸張状態の接触部３１の概略図を示したものである。本実施形態にかかるマッサージ具１は、この図４（ｃ）に示すように、外側締結部４１の位置を調整して、接触部３１を伸張させるように、その長さを標準長さＬ１よりも大きな長さ（以下「伸張長さＬ３」という。）とすることができる。このように、伸張長さＬ３に調整された接触部３１は、標準長さＬ１の接触部３１（図４（ａ）参照）よりも、複数の真珠１１の拡散状態が高まり、その外形が大きくなると共に、相対的に身体へ接触したときの感覚が柔らかく感じられる。
【００４４】
本実施形態にかかるマッサージ具１は、このように、外側締結部４１を調整することによって、接触部３１の大きさや硬さ等を適宜調整可能であるため、使用者の体調等の種々の状況の変化に対応して、必要とされるマッサージ強度を効果的に得ることができる。
【００４５】
さて、本実施形態にかかるマッサージ具１は、以上のように構成されており、その構成に基づき、次のような作用効果を有する。
【００４６】
本実施形態にかかるマッサージ具１は、使用者が手に把持して使用可能なマッサージ具１であって、複数の真珠１１と、複数の真珠１１を収納する第一収納体２０と、第一収納体２０を収納する第二収納体３０とを備え、第二収容体３０が、第一収納体２０を収容した接触部３１と、第二収容体３０のみから成る把持部３２とに区別されることを特徴としている。
【００４７】
このように構成されたマッサージ具１によれば、把持部３２を使用者が把持した状態で接触部３１を振り子のように動かして身体に接触させたり（接触部３１で身体を叩いたり）、あるいは接触部３１を使用者が直接把持した状態で接触部３１を使用者の身体に接触させたりすることによって、点での刺激ではなく、分散した自然で柔らかな刺激を身体に与えて、健康回復、健康促進、体調改善等を図ることができる。
より具体的には、複数の真珠１１を有する接触部３１が、使用者の身体に接することによって、複数の真珠１１が身体の形状に沿って自然に分散する。このような自然な分散によって、本実施形態にかかるマッサージ具１によれば、接触部３１をソフトに身体に打ち付けることができる。また、接触部３１による身体への刺激箇所が複数となるため、身体に存在するツボを的確に捉えることができる。
加えて、本実施形態にかかるマッサージ具１は、複数の真珠１１が収納された第一収納体２０が、さらに第二収納体３０に収容されて構成されている。つまり、複数の真珠１１が、第一収容体２０と第二収容体３０とで、二重に覆われて構成されている。したがって、このような構成によれば、比較的簡単な構成にて、複数の真珠１１を適切に保持しつつ、点での刺激ではなく、分散した自然で柔らかな刺激を身体に与えて、健康回復、健康促進、体調改善等を実現可能な、マッサージ具１１を得ることができる。
【００４８】
また、本実施形態にかかるマッサージ具１は、使用者が手に把持して使用可能なマッサージ具１であって、複数の真珠１１と、複数の真珠１１を収納する第一収納体２０と、第一収納体２０を収納する第二収納体３０と、第二収納体３０の一部を締結する外側締結部４１とを備え、第二収容体３０の外側締結部４１による締結位置が、自在に調整可能であり、第二収容体３０が、外側締結部４１によって、真珠１１を有する第一収納体２０から成る内包部２１を収容した接触部３１と、第二収容体３０のみから成る把持部３２とに区別されることを特徴としている。
【００４９】
本実施形態にかかるマッサージ具１は、外側締結部４１による第二収容体３０の締結位置を調整可能であるため、接触部３１の大きさを自在に調整することができる。したがって、本実施形態にかかるマッサージ具１によれば、その使用者の体調や好み等に応じて、接触部３１の大きさや硬さ等を調整することができる。つまり、本実施形態によれば、比較的簡単な構成に基づき、接触部３１の大きさ等を容易に調整でき、点での刺激ではなく、分散した自然で柔らかな刺激を身体に与えることができる、マッサージ具１を得ることが可能となる。
【００５０】
以上のように、本実施形態にかかるマッサージ具１は、刺激点を増やすために、複数の真珠１１を用いて構成されている。より具体的には、本実施形態にかかるマッサージ具１は、複数の真珠１１を凝集して構成された接触部３１を備えている。そして、この接触部３１を、把持部３２あるいは接触部３１自身を操作することによって、身体の所定箇所（治療箇所等）に接触させる（叩きつける）。
【００５１】
このような構成および使用方法であるため、本実施形態にかかるマッサージ具１によれば、比較的小さな球状である複数の真珠１１が、身体に接触する際にその身体の形状に沿って移動する。つまり、このマッサージ具１によれば、接触部３１中の真珠１１が、身体に当たった瞬間に身体の形状に沿って分散するため、接触部３１からの力も分散され、柔らかな刺激を皮膚に伝えることができる。また、複数の真珠１１にて接触部３１が構成されているため、身体全体にある無数のツボを多数の真珠にて的確に捉えることができる。
【００５２】
したがって、本実施形態によれば、比較的簡単な構成および使用方法によって、点での刺激ではなく、分散した自然で柔らかな刺激を身体に与えて、健康回復、健康促進、体調改善等を実現可能な、マッサージ具１を得ることができる。
【００５３】
＜第二実施形態＞
次に、図面に基づいて、本考案の第二実施形態について説明する。
【００５４】
図５は、本考案の第二実施形態にかかるマッサージ具の概略図を示したものである。また、図６は、本考案の第二実施形態にかかるマッサージ具の使用方法（一例）の概略図を示したものであって、図６（ａ）は本実施形態にかかるマッサージ具を用いて使用者の背中をマッサージ（洗浄）している概略図を示し、図６（ｂ）は本実施形態にかかるマッサージ具を用いて使用者の太腿をマッサージ等している概略図を示している。
【００５５】
図５に示すように、本実施形態にかかるマッサージ具２は、複数の真珠１１（本考案の「粒状物」「真珠」に相当）を纏めた内包部６１と、この内包部６１を包み込む第二収納体７０と、この第二収納体７０の外部に設けられたベルト部８０等とを用いて構成されている。本実施形態においては、第二収納体７０が、第一実施形態における「接触部」としても機能する。
【００５６】
より具体的には、本実施形態にかかるマッサージ具２を成す内包部６１は、複数の真珠１１と、この複数の真珠１１を纏めて収納可能な第一収納体６０とを用いて構成されている。
内包部６１を成す第一収納体６０は、第一実施形態と同様に、複数の真珠１１を収納可能な網状の袋体を用いて構成されている。この第一収納体６０は、内包した複数の真珠１１の感触を損なうことなく、また、複数の真珠１１の破損を防止すべく、比較的柔らかい袋体を用いて形成されている。第一収納体６０は、例えば、絹布、綿布、化学繊維等を用いて構成されている。
【００５７】
また、本実施形態においては、第一収納体６０内に、約５ｍｍ〜約１５ｍｍ程度の真珠を約１００個〜約３００個程度、収納することが好ましい。また、内包部６１の形状（外形）は特に限定されないが、例えば、球体状（略球体状のものも含む）あるいは楕円体状（略楕円体状のものや略回転楕円体状も含む）となるべく構成されている。
【００５８】
マッサージ具２を成す第二収納体７０は、内包部６１を収納可能な袋体を用いて構成されている。また、この第二収納体７０は、収納した内包部６１中の複数の真珠１１からの刺激を身体に適切に伝えるべく、絹布等の柔らかい素材を用いて構成されている。この第二収納体７０の構成素材としては、他に例えば、綿布や化学繊維等が適用可能である。本実施形態にかかる第二収納体７０は、第一実施形態の「接触部」として機能するため、肌触りがよく、持ちやすいものであることが好ましい。
【００５９】
さらに、本実施形態にマッサージ具２には、第二収納体７０の外側の対向する位置に、一対のベルト部８０が設けられている。このベルト部８０は、それぞれ環状に構成されている。ベルト部８０の構成材料は、特に何等かに限定されるものではないが、例えば、絹や綿や化学繊維等を用いることが好ましい。また、ベルト部８０の形状は、帯状あるいは紐状であることが好ましい。さらに、このベルト部８０の長さは、約６０ｃｍ〜約８０ｃｍ程度であることが好ましい。このような長さであれば、使用者の手が届きにくい箇所も適切にマッサージや洗浄等を行うことができる。
【００６０】
本実施形態にかかるマッサージ具２の基本的な構成は、図５にて説明したとおりである。そして、その構成に基づき、使用者がこのマッサージ具２を適切に使用することによって、点での刺激ではなく、分散した自然で柔らかな刺激を得ることが可能となり、健康回復、健康促進、体調改善等を実現することができる。
以下、図６を用いて、マッサージ具２の使用方法の一例を説明する。ここで、図６は、本考案の実施形態にかかるマッサージ具の使用方法（一例）の概略図を示したものである。
【００６１】
まず、図６（ａ）は、本実施形態にかかるマッサージ具２の使用方法の一例の概略図を示したものであって、具体的には、風呂や温泉等にて、使用者が自身の背中のマッサージあるいは洗浄を行っている状態を示したものである。
【００６２】
この図６（ａ）に示すように、本実施形態にかかるマッサージ具２によれば、第二収納体７０の外側の対向する位置に一対のベルト部８０が設けられているため、使用者は、これらのベルト部８０を左右の手で把持することによって、容易に自分自身の背中のマッサージ等を行うことができる。
【００６３】
また、本実施形態によれば、第二収納体７０に石鹸等を染み込ませた状態で、図６（ａ）に示すように使用すれば、マッサージを行うと共に、背中の洗浄を行うことも可能である。
【００６４】
次いで、図６（ｂ）は、本実施形態にかかるマッサージ具２の使用方法の一例の概略図を示したものであって、具体的には、使用者が自身の太腿のマッサージ等を行っている状態を示したものである。
【００６５】
この図６（ｂ）に示すように、本実施形態にかかるマッサージ具２は、ベルト部８０を把持するのではなく、第二収納体７０を直接把持した状態で、使用することも可能である。この際、ベルト部８０は適宜まとめればよい。
【００６６】
さて、本実施形態にかかるマッサージ具２は、以上のように構成されており、その構成に基づき、次のような作用効果を有する。
【００６７】
本実施形態にかかるマッサージ具２は、使用者が手に把持して使用可能なマッサージ具２であって、複数の真珠１１と、複数の真珠１１を収納する第一収納体６０と、第一収納体６０を収納する第二収納体７０とを備え、第二収納体７０の外側の対向する位置に、一対のベルト部８０が設けられており、ベルト部８０が、それぞれ環状に形成されていることを特徴としている。
【００６８】
このような構成によれば、上述した第一実施形態と略同様の作用効果を得ることが可能となると共に、以下の作用効果を得ることができる。すなわち、本実施形態にかかるマッサージ具２によれば、それぞれ環状に形成された各ベルト部８０を左右の手で把持した状態で、使用者の身体のいたる所をマッサージ（あるいは洗浄）することができる。より具体的には、使用者の背中等の手の届きにくい部位であっても、各ベルト部８０を把持することによって、使用者は簡単にマッサージ（あるいは洗浄）することができる。
【００６９】
上記第二実施形態にかかるマッサージ具２は、一対のベルト部８０を有する構成について説明したが、本考案はこの構成に限定されず、必要に応じて、一つあるいは三つ以上のベルト部を設けてもよい。また、ベルト部８０の形状を環状に限定されず、必要に応じて種々の形状を選択可能である。
【００７０】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００７１】
上記実施形態においては、「複数の粒状物」として、複数の真珠１１を用いる場合について説明したが、本考案はこの構成に限定されず、点の刺激ではなく、拡散した自然な刺激を与え得るものであれば、適宜様々なものが使用可能である。したがって、例えば、この粒状物は、小さな球体状のもの（略球体状のものも含む）や楕円体状（略楕円体状のものも含む）であれば、どのようなものであってもよく、約５ｍｍ〜約１５ｍｍ程度の鋼球やセラミック球や豆等であってもよい。
【００７２】
また、上記実施形態においては、第一収納体２０として、網状の袋体を用いる場合について説明したが、本考案はこの構成に限定されず、内包した複数の粒状物（例えば、真珠）の感触を損なうことなく、粒状物の破損を防止可能であれば、様々なものが使用可能である。したがって、例えば、第一収納体としては、矩形やその他の多角形の布状部材、あるいは円形の布状部材等を用いてもよい。
【００７３】
さらに、上記実施形態においては、第二収納体３０として、絹の袋体を用いる場合について説明したが、本考案はこの構成に限定されず、収納した内包部２１中の複数の粒状物（例えば、真珠）からの刺激を身体に適切に伝え、ある程度の強度を有するものであれば、様々なものが使用可能である。したがって、例えば、第二収納体としては、矩形の布状部材（例えば、絹製の風呂敷のようなもの）や、円形の布状部材等を用いてもよい。
【００７４】
また、上記実施形態においては、マッサージ具１の使用方法として、使用者が右手で把持部３２を把持した状態で、使用者の左肩Ｓを接触部３１で叩く場合について説明したが、当然のことながら、本考案にかかるマッサージ具１の使用方法は、これに限定されない。
【００７５】
したがって、例えば、使用者が把持部３２を把持した状態で、接触部３１にて、肩や腰や背中や腕や脚等を叩いて、マッサージを行ってもよい。本実施形態にかかるマッサージ具１は、把持部３２を把持した状態で接触部３１を振り子のように振り出して使用可能であるため、比較的手が届きにくい背中等であっても、簡単に接触部３１を接触させて、適切なマッサージ効果を得ることができる。しかも、接触部３１は、背中等に接触した際に、その接触した箇所の形状に沿うように変形するため、使用者は、その好みに応じて（使用者が接触速度等を調整して）、自然で柔らかなマッサージ効果を得ることができる。
【００７６】
さらに、他の使用方法としては、把持部３１ではなく、使用者が接触部３１を直接把持して、その状態で、接触部３１を身体に接触させるようにして、マッサージを行ってもよい。つまり、使用者は、接触部３１を把持した状態で、手の届きやすい箇所（例えば、頭頂部や顔や腕や太もも等）に接触部３１を接触させるようにして、マッサージを行ってもよい。このような使用方法の場合には、接触部３１を振り子のように動かさないため、使用者は、より柔らかな刺激を得ることができる。したがって、このような方法によれば、使用者の身体状況に応じて（身体のデリケートな箇所等であっても）、適切なマッサージ効果を得ることができる。例えば、把持した接触部３１を用いて、顔や頭の加圧マッサージを行うことができる。
【００７７】
また、本実施形態にかかるマッサージ具１は、接触部３１が真珠１１を用いて構成されているため、風呂での使用も可能である。つまり、入浴時において、全身マッサージや洗浄等に用いることも可能である。より具体的には、ボディシャンプー等を接触部３１に含ませ、入浴やシャワーをしながら、身体全体を洗浄すると同時に全身マッサージを行うことができる。
【００７８】
また、本実施形態にかかるマッサージ具１，２は、把持部３２あるいはベルト部８０を有する構成、すなわち、使用者がその手に把持する部分を接触部３１あるいは第二収納体７０とは別に有する構成について説明したが、本発明はこの構成に限定されない。したがって、例えば、第二実施形態に示した第二収納体７０のみ（つまり、ベルト部８０を有しない構成）にてマッサージ具を成してもよい。このような構成にかかるマッサージ具も本考案の技術的範囲に属する。
【産業上の利用可能性】
【００７９】
従来技術にかかるマッサージ具としては、例えば、棒状グリップ体の先端部一側面に押圧突起を有し、この押圧突起を身体に押し当てる構成のものが知られている。
しかしながら、従来技術に示すような身体に接する箇所が一点に集中しているマッサージ具は、使い勝手が悪く、身体との接点が一点に集中しているため、中々思い通りの箇所を刺激することはできないという問題があった。
【００８０】
それに対して、本実施形態にかかるマッサージ具１，２は、上述したように、複数の真珠１１（粒状物）を内包した第二収容体３０，７０を用いて構成されている。このようなマッサージ具１，２によれば、比較的簡単な構成および使用方法によって、点での刺激ではなく、分散した自然で柔らかな刺激を身体に与えて、健康回復、健康促進、体調改善等を実現可能な、マッサージ具１を得ることができる。
【符号の説明】
【００８１】
１，２…マッサージ具
１１…真珠（粒状物）
２０，６０…第一収納体
２１，６１…内包部
３０，７０…第二収納体
３１…接触部
３２…把持部
４１…外側締結部（締結部）
５１…内側締結部
８０…ベルト部
【図１】
0003188448.tif 000003
【図２】
0003188448.tif 000004
【図３】
0003188448.tif 000005
【図４】
0003188448.tif 000006
【図５】
0003188448.tif 000007
【図６】
0003188448.tif 000008